(57)【要約】【課題】異なる物理フォーマットで記録された二つの記録層を有する光ディスクが搭載された光ディスク装置にアクセスする記録層を指定することができると共に、指定した記録層をユーザが判別できること。【解決手段】光ディスク装置に装填されている光ディスクの種類を判別するディスク種類判別部５０５と、ディスク種類判別部５０５がツインフォーマットディスクが装填されていると判別した場合に、光ディスク装置がアクセスする記録層をユーザが選択するためのボタンを有するウィンドウを表示装置に表示するコントロールウィンドウ表示部５０３および選択ボタン表示部５０４と、前記ユーザのボタンの操作に応じて前記光ディスク装置がアクセスする記録層を指定するための再生切替部５０７と、前記ユーザのボタンの操作に応じて前記光ディスク装置がアクセスする記録層を表示する選択ボタン表示部５０４とを具備する。【選択図】    図１２
2008041200.tif 000002
【特許請求の範囲】
【請求項１】
第１レーザ光によりアクセスされる第１物理フォーマットで記録された記録層を有する第１光ディスク、第２レーザ光によりアクセスされる第２物理フォーマットで記録された記録層を有する第２光ディスク、ならびに前記第１物理フォーマットで記録された第１記録層、および前記第２物理フォーマットで記録された第２記録層を有する第３光ディスクを含むグループから選ばれる１種類の光ディスクが装填され、装填されている光ディスクに記録されている情報を読み出す光ディスク装置と、
前記光ディスク装置に装填されている光ディスクの種類を判別する判別手段と、
前記第３光ディスクが装填されていると判別した場合に、前記光ディスク装置がアクセスする記録層をユーザが選択するためのボタンを有するウィンドウを表示装置に表示するウィンドウ表示手段と、
前記ユーザのボタンの操作に応じて前記光ディスク装置がアクセスする記録層を前記光ディスク装置に指示するためのアクセス層指示手段と、
前記ユーザのボタンの操作に応じて、前記ユーザの操作によって前記光ディスク装置がアクセスする記録層の情報を表示する操作結果表示手段と
を具備することを特徴とする情報処理装置。
【請求項２】
前記光ディスク装置に前記第３光ディスクが装填されると、前記ウィンドウ表示手段は前記ボタンとして第１ボタンおよび第２ボタンを前記コントロールウィンドウ内に表示し、
前記ユーザが第１ボタンの操作を操作した場合に、前記アクセス層指示手段は前記光ディスク装置に前記光ディスクが前記第１記録層にアクセスするように指示し、
前記ユーザが第２ボタンの操作を操作した場合に、前記アクセス層指示手段は、前記光ディスク装置に前記光ディスクが前記第２記録層にアクセスするように指示することを特徴とする請求項１記載の情報処理装置。
【請求項３】
前記操作結果表示手段は、前記第１ボタンが操作された場合に前記光ディスク装置がアクセスする記録層の情報を前記第１ボタンに示し、前記第２ボタンが操作された場合に前記第２ボタン前記光ディスク装置がアクセスする記録層の情報を前記第２ボタンに示すことを示すことを特徴とする請求項２記載の情報処理装置。
【請求項４】
前記第１物理フォーマットで記録された映像・音声コンテンツを再生するための第１再生手段と、前記第２物理フォーマットで記録された映像・音声コンテンツを再生するための第２再生手段とを更に具備することを特徴とする請求項１記載の情報処理装置。
【請求項５】
第１物理フォーマットで記録された記録層を有する第１光ディスク、第２物理フォーマットで記録された記録層を有する第２光ディスク、および前記第１物理フォーマットで記録された第１記録層および前記第２物理フォーマットで記録された第２記録層を有する第３光ディスクを含むグループから選ばれる一つの光ディスクが装填され、装填された光ディスクに記録された情報を読み出す光ディスク装置に装填されている光ディスクが第３光ディスクであるか否かを判別し、
前記第３光ディスクであると判別した場合に、前記光ディスク装置がアクセスする記録層をユーザが選択するためのボタンを有するウィンドウを表示装置に表示し、
前記ユーザのボタンの操作に応じて前記光ディスク装置がアクセスする記録層を前記光ディスク装置に指示し、
前記ユーザのボタンの操作に応じて前記光ディスク装置がアクセスする記録層の情報を表示する
ことを特徴とする制御方法。
【請求項６】
前記光ディスク装置に前記第３光ディスクが装填されると、前記表示手段は、前記ボタンとして第１ボタンおよび第２ボタンを前記ウィンドウ内に表示し、
前記ユーザが第１ボタンの操作を操作した場合に、前記指示手段は前記光ディスク装置に前記第１記録層にアクセスするように指令し、
前記ユーザが第２ボタンの操作を操作した場合に、前記指示手段は前記光ディスク装置に前記第２記録層にアクセスするように指示することを特徴とする請求項５記載の制御方法。
【請求項７】
前記第１ボタンが操作された場合に、前記光ディスク装置がアクセスする記録層の情報を前記第１ボタンに示し、
前記第２ボタンが操作された場合に、前記光ディスク装置がアクセスする記録層の情報を前記第２ボタンに示すことを特徴とする請求項６記載の制御方法。
【発明の詳細な説明】
【技術分野】
【０００１】
本発明は、異なる物理フォーマットで記録された二つの記録層を有する光ディスクに記録されたコンテンツを再生する情報処理装置および制御方法に関する。
【背景技術】
【０００２】
最近では、Digital Versatile Disk （ＤＶＤ）及びその再生装置が普及し、また、高密度記録、高画質記録を行うことができるHigh Definition ＤＶＤ（ High Density ＤＶＤ）も出荷されている。このような再生装置として特許文献１に開示されたものがある。
【０００３】
ＨＤ ＤＶＤが再生することができるディスクの種類の一つとして、一枚のディスクにＤＶＤの記録層とＨＤ ＤＶＤの記録層との物理フォーマットが異なる二つの記録層を有するディスク（ツインフォーマットディスク）が出荷されている。そして、ツインフォーマットディスクに記録されたＨＤ ＤＶＤ層およびＤＶＤ層を選択して再生可能な再生装置も出荷されている。
【特許文献１】特開平９−４４９８４号公報
【発明の開示】
【発明が解決しようとする課題】
【０００４】
ところで、上述したツインフォーマットディスクを再生できる装置では、ユーザが選択したＤＶＤ層とＨＤ ＤＶＤ層の何れかの記録層を再生することができる。しかし、選択した後に、どちらの層を再生しているのかが分からないという問題があった。
【０００５】
本発明の目的は、異なる物理フォーマットで記録された二つの記録層を有する光ディスクが搭載された光ディスク装置にアクセスする記録層を指定することができると共に、指定した記録層をユーザが判別することが可能な情報処理装置、および制御方法を提供することにある。
【課題を解決するための手段】
【０００６】
本発明の一例に係わる情報処理装置は、第１レーザ光によりアクセスされる第１物理フォーマットで記録された記録層を有する第１光ディスク、第２レーザ光によりアクセスされる第２物理フォーマットで記録された記録層を有する第２光ディスク、ならびに前記第１物理フォーマットで記録された第１記録層、および前記第２物理フォーマットで記録された第２記録層を有する第３光ディスクを含むグループから選ばれる１種類の光ディスクが装填され、装填されている光ディスクに記録されている情報を読み出す光ディスク装置と、前記光ディスク装置に装填されている光ディスクの種類を判別する判別手段と、前記判別手段が前記第３光ディスクが装填されていると判別した場合に、前記光ディスク装置がアクセスする記録層をユーザが選択するためのボタンを有するウィンドウを表示装置に表示するウィンドウ表示手段と、前記ユーザのボタンの操作に応じて前記光ディスク装置がアクセスする記録層を前記光ディスク装置に指示するためのアクセス層指示手段と、前記ユーザのボタンの操作に応じて、前記ユーザの操作によって前記光ディスク装置がアクセスする記録層の情報を表示する操作結果表示手段とを具備することを特徴とする。
【発明の効果】
【０００７】
異なる物理フォーマットで記録された二つの記録層を有する光ディスクが搭載された光ディスク装置にアクセスする記録層を指定することができると共に、指定した記録層をユーザが判別することが可能になる。
【発明を実施するための最良の形態】
【０００８】
以下、図面を参照して、本発明の実施形態を説明する。  
まず、図１および図２を参照して、本発明の一実施形態に係る情報処理装置の構成について説明する。この情報処理装置は、例えば、ノートブック型パーソナルコンピュータ１０として実現されている。
【０００９】
図１はノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１０】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、タッチパッド１５、タッチパッドコントロールボタン１６、およびスピーカ１９などが配置されている。
【００１１】
次に、図２を参照して、本コンピュータ１０のシステム構成について説明する。
【００１２】
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、High Definition Digital Versatile Disc（ＨＤ ＤＶＤ）／ＤＶＤコンパチブルドライブ（ＯＤＤ、光ディスク装置）１１２、カードコントローラ１１３、無線ＬＡＮコントローラ１１４、IEEE 1394コントローラ１１５、およびエンベデッドコントローラ／キーボードコントローラＩＣ（ＥＣ／ＫＢＣ）１１６等を備えている。
【００１３】
ＣＰＵ１０１は本コンピュータ１０の動作を制御するプロセッサであり、ハードディスクドライブ（ＨＤＤ）１１１から主メモリ１０３にロードされる、オペレーティングシステム、および各種アプリケーションプログラムを実行する。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００１４】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、ＰＣＩ  ＥＸＰＲＥＳＳ規格のシリアルバスなどを介してＧＰＵ１０５との通信を実行する機能も有している。
【００１５】
ＧＰＵ１０５は本コンピュータ１０のディスプレイモニタとして使用されるＬＣＤ１７を制御する表示コントローラである。このＧＰＵ１０５によって生成される表示信号はＬＣＤ１７に送られる。また、表示信号は、コンピュータ本体１１に設けられたインタフェース３、４をそれぞれ介して外部のＴＶ１、外部のＨＤＭＩモニタに送出することもできる。
【００１６】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ＨＤＤ１１１、ＯＤＤ１１２を制御するためのＩＤＥ（Integrated Drive Electronics）コントローラを内蔵している。さらに、サウスブリッジ１０４は、サウンドコントローラ１０６との通信を実行する機能も有している。
【００１７】
サウンドコントローラ１０６は音源デバイスであり、再生対象のオーディオデータをスピーカ１９に出力する。
【００１８】
カードコントローラ１１３は、ＰＣカード、ＳＤ（Ｓｅｃｕｒｅ  Ｄｉｇｉｔａｌ）カードのようなカードを制御する。無線ＬＡＮコントローラ１１４は、たとえばIEEE 802.11規格の無線通信を実行する無線通信デバイスである。IEEE 1394コントローラ１１５は、IEEE 1394規格のシリアルバスを介して外部機器との通信を実行する。エンベデッドコントローラ／キーボードコントローラＩＣ（ＥＣ／ＫＢＣ）１１６は、電力管理のためのエンベデッドコントローラと、キーボード（ＫＢ）１３およびタッチパッド１５を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１１６は、リモコンユニットインタフェース２０との通信を実行する機能を有している。
【００１９】
ところで、ＯＤＤ１１２は、ＤＶＤ系メディアとして、Digital Versatile Disc（ＤＶＤ）、High Definition Digital Versatile Disc（ＨＤ ＤＶＤ）、ツインフォーマットディスクの３種類のメディアに対応している。ツインディスクとは、１枚のディスクの中にＤＶＤの物理フォーマットの記録層とＨＤ ＤＶＤの物理フォーマットの記録層との物理フォーマットが異なる２層の記録層が設けられたメディアである。
【００２０】
＝＝＝ＤＶＤ＝＝＝
図３に片面１層ＤＶＤディスクの基本構造と光ヘッドの関係を示す。よく知られているように、ＤＶＤディスクは、０.６ｍｍ厚のディスク基板２枚を貼り合せた構造をもつ。１つは信号基板１、もう１つは、ダミー基板４で、記録層５を内側にして、接着層６で貼り合されている。通常これらの基板は、射出成形機を用いて、ポリカーボネートというプラスチック材料で形成される。
【００２１】
なお、信号基板１には、映像情報やデータ情報などが、エンボスピットという形で、スパイラルトラックに形成される。記録層の情報を読み取る赤色レーザ７（波長：６５０ｎｍ）は、対物レンズ８（ＮＡ：０．６）で絞られ、信号基板１の光透過層３を通して、記録層５にフォーカスされる。
【００２２】
図４は、片面１層ＤＶＤディスクの記録エリアの構成を示す図である。ＤＶＤ記録層１５は、内周側からリードインエリア３１、データエリア３２、リードアウトエリア３３からなる。このリードインエリア３１には、Control data zone（コントロールデータゾーン）３７が形成されている。その他、Initial zone(イニシャルゾーン)３４, Reference code zone(リファレンスゾーン)３５, Buffer zone(バッファーゾーン)３６, Buffer zone(バッファーゾーン)３８がある。 
＝＝＝ＨＤ ＤＶＤ＝＝＝
青紫色半導体レーザ(以降、青紫色レーザ)を用いて、ＤＶＤの３倍以上の高密度化したＨＤ ＤＶＤが発売されている。ＨＤ ＤＶＤは、従来のＤＶＤと同じディスク構造を有し、容量は、片面１層ディスクが１５ＧＢ、両面２層ディスクが３０ＧＢである。これらの大容量化は、レーザ光の短波長化、高NA化、変調方式、新しい信号処理（PRML：Partial Response and Most Likelyhood）などの新しい技術で実現されている。
【００２３】
図５に、片面１層ＤＶＤディスク４０の基本構造と光ヘッドの関係を示す。基本的にはＤＶＤと同じだが、高密度・大容量化のため、信号の読み出しには青紫色レーザ光４７（波長４０５ｎｍ）とＮＡが０．６５の対物レンズ４８が用いられている。このため、球面収差やチルトによるコマ収差などがＤＶＤの場合より厳しくなる。このため、光透過層４３の厚みは、光入射面４２から最小５８７μｍ、最大６１３μｍの位置にある。
【００２４】
図６は、片面１層ＨＤ ＤＶＤディスクの記録エリアの構成を示す図である。ＨＤ ＤＶＤ記録層５５（図４では記録層４５）には、ＤＶＤの場合と同様、リードインエリア６１、データエリア６２、リードアウトエリア６３、そしてＢＣＡエリア７１が形成されている。ＢＣＡ（バーストカッティングエリア）７１は、ＤＶＤの場合もオプションで形成することが可能であるが、ＨＤ ＤＶＤの場合は、形成することが必須となっている。リードインエリア６１は、システムリードインエリア７２、Connection zone(接続ゾーン)６８、Data lead in area(データリードインエリア)７３からなる。Control data zone(コントロールデータゾーン)６６は、System lead in area(システムリードインエリア)７２に形成されている。その他、システムリードンエリア７２には、Initial zone（イニシャルゾーン）６４、Buffer zone(バッファーゾーン)６５，６７、がある。またデータリードインエリア７３には、Reserved area(リザーブドエリア)６９、Reference code zone(リファレンスコードゾーン)７０がある。
【００２５】
＝＝＝ツインフォーマットディスクの基本構成＝＝＝
図７、図８に光ディスク８０と光ヘッドの関係を示す。図７には、図３と図５に示したディスクを張り合わせた様子を示している。
【００２６】
図７に示すように、光ディスク８０は、第１基板８１と第２基板８４で構成され、レーザ光の光入射面８２に対し、近い方に半透明膜からなる第１記録層（ＤＶＤ層に相当）８５が形成されているとともに、遠い方に高反射膜からなる第２記録層（ＨＤ ＤＶＤ層に相当）８６が形成されている。
【００２７】
＝＝＝フラグ情報（ＤＶＤ層）＝＝＝
ツインフォーマットディスクで、ＤＶＤ層８５を通常の片面１層ＤＶＤ−ＲＯＭディスクとして扱う必要がある。
【００２８】
また、ディスクの選択している記録層を示す情報（Layer number）は、データフレームにある４バイトのＩＤ（Identification Data）のb24（第２４番目のビット）に設定される。b24が、0bの場合はLayer0 of DL(Dual Layer) discs or on SL discsであり、1bの場合はLayer1 of DL discsである。
【００２９】
また、ディスクの記録層の数が１層か２層かを示す情報は、ディスクの構成（Disc structure）を定義する、図３のリードインエリア３１に形成されているControl data zone（コントロールデータゾーン）３７の物理フォーマット情報（Physical format information）のバイトポジション（ＢＰ２）の第６ビットと第５ビット（b6 - b5）に示される。b6 - b5が、00bの場合はSingle、1bの場合はDualを示している。
【００３０】
従って、ツインフォーマットディスクのＤＶＤ層のデータフレームにある4バイトのＩＤの第２４番目のビットは０ｂであり、リードインエリア３１に形成されているControl data zone（コントロールデータゾーン）３７の物理フォーマット情報（Physical format information）のバイトポジション（ＢＰ２）の第６ビットと第５ビット（b6 - b5）は00bである。
【００３１】
＝＝＝識別情報（ＤＶＤ層）＝＝＝
ＤＶＤ層８５に、ＨＤ ＤＶＤ層８６が形成されていることを示す情報が、コントロールデータゾーンのPhysical format informationの（ＢＰ２）にあるLayer typeのb3を利用して記録されている。このビットは、ＤＶＤ−ＲＯＭディスク以外のＤＶＤ−Ｒ/ＲＷディスク、ＤＶＤ−ＲＡＭディスクなどの記録形ＤＶＤでもReservedになっており、このビットを使っても影響がでない。
【００３２】
そこで、コントロールデータゾーンのPhysical format informationのＢＰ２の
b3に1bを記録し第１記録層にＤＶＤ層、第２記録層（ＨＤ ＤＶＤ層）があることを設定する。
【００３３】
これ以外に、コントロールデータゾーンのPhysical format informationの（ＢＰ２）
には、b7がReservedとなっていることから、b7に1bを記録して第１記録層にＤＶＤ層、第２記録層（ＨＤ ＤＶＤ層）があると設定しても良い。つまり第７ビット目に1bを記述し、第１記録層はＤＶＤ層であり、第２記録層がＨＤ ＤＶＤであることを示すのである。 
なお、コントロールデータゾーンのPhysical format informationは、全部で２０４８バイトあり、その大半の（ＢＰ）がReservedとなっていることから、他の記録形ディスクとかち合わない範囲で使用することは可能である。
【００３４】
次に、ＨＤ ＤＶＤ層８６のフラグ情報および識別情報について説明する。
【００３５】
＝＝＝フラグ情報＝＝＝
ツインフォーマットディスクで、ＨＤ ＤＶＤ層８６を通常の片面１層ＨＤ ＤＶＤ−ＲＯＭディスクとして扱う必要がある。
【００３６】
従って、ツインフォーマットディスクのＤＶＤ層のデータフレームにある4バイトのＩＤの第２４番目のビットは０ｂであり、リードインエリア３１に形成されているControl data zone（コントロールデータゾーン）３７の物理フォーマット情報（Physical format information）のバイトポジション（ＢＰ２）の第６ビットと第５ビット（b6 - b5）は00bである。
【００３７】
＝＝＝識別情報（ＨＤ ＤＶＤ層）＝＝＝
ＨＤ ＤＶＤ層８６に記述される情報であって、ＤＶＤ層８５が形成されていることを示す情報は、コントロールデータゾーンのPhysical format informationの（ＢＰ２）にあるレイヤータイプ（Layer type）のb3を利用する。このビットは、ＨＤ ＤＶＤ−ＲＯＭディスク以外のＨＤ ＤＶＤ−Ｒディスク、ＨＤ ＤＶＤ−Rewritableディスクの記録形ＨＤ ＤＶＤでもReservedになっており、このビットを使っても影響がでない。
【００３８】
そこで、コントロールデータゾーンのPhysical format informationの（ＢＰ２）のb3に1bを記録して1記録層にＤＶＤ層、第２記録層（ＨＤ ＤＶＤ層）があるとする。つまり、b3に1bを記述し、第１記録層にＤＶＤ層があり、第２記録層にＨＤ ＤＶＤ層があることを示すのである。
【００３９】
次に、図９を参照して、ＨＤ ＤＶＤ／ＤＶＤコンパチブルドライブの主要構成を簡単に説明する。スピンドルモータ２００は、ターンテーブルを回転駆動する。クランパ２０１は、光ディスク８０をターンテーブル上に把持する。スピンドルモータ２００は、モータドライバ２０２により制御される。光ヘッド２１０は、対物レンズ２１１及び光学系２１３を含む。
【００４０】
対物レンズ２１１は、例えばレーザビームの波長に応じて選択性を有し、赤色レーザ光の場合と、青紫色レーザ光の場合とで適応的に開口数が変化する。或いは対物レンズは切り替えタイプであってもよい。
【００４１】
光学系２１３は、フォーカス及びトラッキングアクチュエータ２１６により駆動される。フォーカス及びトラッキングアクチュエータ２１６がアクチュエータドライバ２１８により制御されると、赤色レーザ光を出力するレーザダイオードＬＤｒまたは青紫色レーザ光を出力するレーザダイオードＬＤｂから出力されたレーザ光が光ディスクのトラックに焦点を合わせ、かつ追従する。ラジアルアクチュエータ２１７は、光ヘッド２１０をディスクの半径方向へ移動させるものであり、アクチュエータドライバ２１８により制御される。
【００４２】
ディスクからの反射光は、光学系２１３から導出され、光・電気変換ユニット２１５のフォトディテクタで電気信号に変換される。この電気信号は、ゲイン調整ユニット２２０の再生信号増幅器でゲイン調整され、信号処理回路２２１に入力される。信号処理回路２２１では、復調処理及バッファリング、エラー訂正などが行われ、その出力はデータ処理回路２２２に入力される。ここでは、パケット分離、制御信号分離などが行われる。
【００４３】
サーボコントローラ２４０は、例えば４分割フォトダイオードからの再生信号を演算処理したフォーカスエラー信号及びトラッキングエラー信号を用いて、アクチュエータドライバ２１８に対して制御信号を与える。システムコントローラ２４１は、入力端末（例えばリモートコントローラ、あるいは操作キー入力部）２４２からの信号に応答して、装置の再生、停止、一時停止などを制御する。また、ゲイン調整ユニット２２０内のレーザダイオードドライバを制御する。レーザダイオードドライバは、光ヘッド２１０に搭載されているレーザダイオードを駆動し、この結果、レーザ光が出力される。
【００４４】
コンピュータ１０は、マルチディスクドライブに装填されるＤＶＤ、ＨＤ ＤＶＤ、およびツインフォーマットディスクに記録されたコンテンツ（映像、サウンド）をコントロールするためのプレイヤソフトを有する。プレイヤソフトがＬＣＤ１７の画面に表示するウィンドウを図１０に示す。プレイヤソフトは、ディスクに格納された映像を表示するための映像ウィンドウと、プレイヤソフトの再生機能等をコントロールするためのコントロールウィンドウとをＬＣＤ１７に表示する。
【００４５】
図１１にコントロールウィンドウを拡大した図を示す。コントロールウィンドウ内には、ディスクの再生を行うためのプレイボタン４０１、再生を停止するためのストップボタン４０２、再生を一時停止するためのポーズボタン４０３、早送り再生するためのファスト・フォーワードボタン４０４、早戻し再生を行うためのファスト・リウインドボタン４０５、順方向のスロー再生を行うための純スロー再生ボタン４０６、次のチャプタの先頭から再生するための次チャプタボタン４０７、前のチャプタの先頭から再生するための前チャプタボタン４０８、現在の再生位置から約１５秒前から再生するためのワンタッチリプレイボタン４０９、現在の再生位置から約１５秒後から再生するためのワンタッチスキップボタン４１０、チャプタ、タイトルのリピート再生および解除を行うためのリピートボタン４１１、再生言語を切り替えるための音声切り替えボタン４１２、字幕言語を切り替えるための字幕切り替えボタン４１３、ドライブ／フォルダを指定するためのドライブ／フォルダ指定ボタン４１４、アングルの切り替えを行うためのアングル切り替えボタン４１５、ドライブに装填されているディスクがツインフォーマットディスクの場合に再生記録層としてＤＶＤ層を選択するためのＤＶＤ層選択ボタン４１６、ドライブに装填されているディスクがツインフォーマットディスクの場合に再生記録層としてＨＤ ＤＶＤ層を選択するためのＨＤ ＤＶＤ層選択ボタン４１７、ドライブからディスクを取り出すための取り出しボタン４１８、元に戻るためのリターンボタン４１９、メニューを表示するためのメニューボタン４２０、トップメニューを表示するためのトップメニューボタン４２１、音声のボリュームを一時的に消すための消音ボタン４２２、チャプタ検索またはタイトル検索を行うためのチャプタ・タイトル検索ボタン４２３を有する。
【００４６】
ＯＤＤ１１２は、ツインフォーマットディスクがＯＤＤ１１２に挿入された場合、ドライブはＨＤ ＤＶＤ層にアクセスする。しかし、ユーザがコントロールウィンドウ内のＤＶＤ層選択ボタン４１６を操作することによって、ドライブがアクセスする層を選択することができる。また、ＤＶＤ層が選択されている状態で、ユーザがコントロールウィンドウ内のＨＤ ＤＶＤ層選択ボタン４１７を操作することによって、ドライブがＨＤ ＤＶＤ層を選択する。
【００４７】
次に、プレイヤソフトウエアの構成について、図１２を参照して説明する。図１２に示すように、プレイヤソフトウエアは、ＨＤ ＤＶＤ、ツインフォーマットディスクのＨＤ ＤＶＤ層に記録されているコンテンツを再生するためのＨＤ ＤＶＤ再生部５０１、ＤＶＤ、ツインフォーマットディスクのＤＶＤ層に記録されているコンテンツを再生するためのＤＶＤ再生部５０２、プレイヤソフトの再生機能等をコントロールするためのコントロールウィンドウをコントロールウィンドウ表示部（ウィンドウ表示手段）５０３、コントロールウインドウ４００内のＨＤ ＤＶＤ層選択ボタン４１６およびＤＶＤ層選択ボタン４１７の表示をコントロールする選択ボタン表示部５０４、ＯＤＤ１１２に挿入されているディスクの種類を判別するためのディスク種類判別部（判別手段）５０５、ＨＤ ＤＶＤ層選択ボタン４１６およびＤＶＤ層選択ボタン４１７の一方が操作された場合にどちらのボタンが操作されたかを判別する操作ボタン判別部５０６（操作結果表示手段）、操作されたボタンに応じてＯＤＤ１１２にアクセス層を指示すると共にＨＤ ＤＶＤ再生部５０１およびＤＶＤ再生部５０２の一方にコンテンツの再生を指示する再生切替部（アクセス層指示手段）５０７から構成されている。選択ボタン表示部５０４は、ユーザが操作したボタン４１６，４１７の操作結果を表示しているが、操作結果に応じてＯＤＤ１１２がアクセスする記録層が変化するので、前記光ディスク装置がアクセスする記録層の情報を表示しているとも言える。
【００４８】
次に、ＯＤＤ１１２にディスクを装填した場合の処理の手順について図１３、図１４を参照して説明する。
【００４９】
ユーザがドライブにディスクを装填する（ステップＳ１１）。ドライブはディスクが装填されるとディスクの種類を判別し、判別結果をＯＳに通知する（ステップＳ１２）。
【００５０】
ステップＳ１２の処理について、図１４のフローチャートを参照して説明する。
【００５１】
上記したドライブにツインフォーマットディスク８０が装填されると、スピンドルモータ１００が所定の回転数まで回転する（ステップＳ４１）。次に、青紫色レーザ光をオンにした後、フォーカスアクチュエータ２１６に周期的な駆動電流が流されて光ヘッドが軸方向に上下し、記録層の探査を行う（ステップＳ４２）。
【００５２】
そして、フォーカス信号のレベルから、装填されているディスクがツインフォーマットディスクであるか否かを判別する（ステップＳ４３）。ツインフォーマットディスクを装填した場合、そして、フォーカス信号から２つの記録層があり、かつそのレベルの違いがあることから、ツインフォーマットディスクであることを識別することができる。ツインフォーマットディスクの第１記録層と前記第２記録層に対するフォーカスエラー信号間では、例えば２倍以上の振幅差があり、ＤＶＤ側のフォーカスエラー信号レベルが大きく、ＨＤ ＤＶＤ側のフォーカスエラー信号レベルが小さい。
【００５３】
ツインフォーマットディスクであると判別した場合（ステップＳ４３のＹｅｓ）、再生信号のゲインを調整して（ステップＳ４４）、ＨＤ ＤＶＤ層にフォーカスオンする（ステップＳ４５）。続いてトラッキングサーボをオンにすると（ステップＳ４６）、適当な位置でオントラッキング状態となる。
【００５４】
続いて、Data frameのＩＤを読み（ステップＳ４７）、ディスクのArea type, Reflectivity、 Layer numberなどをチェックし、続いて、ラジアルアクチュエータ（Radial Actuator）２１７を駆動し、Lead in areaに移動させる（ステップＳ４８）。
【００５５】
Control data zoneに移動し、Physical format informationの（BP2）のNumber of layer、Layer typeを確認する。ドライブは、Number of layerおよびLayer typeからから選択しているのがツインフォーマットディスクのＨＤ ＤＶＤ層であることを確認する（ステップＳ４９）。
【００５６】
そして、ドライブは、オペレーティングシステム５１０にツインフォーマットディスクが装填され、ＨＤ ＤＶＤ層を選択していることを通知する（ステップＳ５０）。
【００５７】
また、ステップＳ４２の記録層の探査において、ドライブが一つの記録層のみを検出した場合には、ツインフォーマットディスクではない、即ちＤＶＤまたはＨＤ ＤＶＤの何れかであると判別する（ステップＳ４３のＮｏ）。また、ステップＳ４２の記録層の探査において、二つの記録層を検出し、レベルの違いがあまりない場合には、ツインフォーマットディスクではない、即ちＤＶＤまたはＨＤ ＤＶＤの何れかであると判別する（ステップＳ４３のＮｏ）。そして、ＨＤ ＤＶＤであるか否かを判別する(ステップＳ５１）。
【００５８】
ＨＤ ＤＶＤであると判別した場合（ステップＳ５１のＹｅｓ）、ドライブはシステムにＨＤ ＤＶＤが装填されたことを通知する（ステップＳ５２）。ＨＤ ＤＶＤでは無いと判別した場合（ステップＳ５１のＮｏ）、ドライブはシステムにＤＶＤが装填されたことを通知する（ステップＳ５３）。
【００５９】
オペレーティングシステム５１０は、プレイヤソフトにドライブにディスクが装填されたこと、ディスクの種類を通知する。なお、システムは、装填されたツインフォーマットディスクの場合には、ドライブが選択している層の種類も通知する。
【００６０】
ドライブがオペレーティングシステム５１０にディスクの種類を通知した後、プレイヤはオペレーティングシステム５１０からドライブに挿入されているディスクの種類を取得する。ディスク種類判別部５０５は、取得したディスクの種類がＤＶＤであるか否かを判別する（ステップＳ１４）。ＤＶＤであると判別した場合、ディスク種類判別部５０５は、再生切替部５０７にＯＤＤ１１２にＤＶＤが挿入されていることを通知し、再生切替部５０７はＤＶＤ再生部５０２にＤＶＤに記録されているコンテンツの再生を指示する（ステップＳ２８）。この時、ＨＤ ＤＶＤ層選択ボタン４１６およびＤＶＤ層選択ボタン４１７は、表示されない。しかし、図１５に示すように、ＨＤ ＤＶＤ層選択ボタン４１６およびＤＶＤ層選択ボタン４１７が選択できないことを視覚的に示す状態にしても良い。
【００６１】
ＤＶＤではないと判別した場合（ステップＳ１４のＮｏ）、ディスク種類判別部５０５は取得したディスクの種類がツインフォーマットディスクであるか否かを判別する（ステップＳ１５）。ツインフォーマットディスクではないと判別した場合（ステップＳ１５のＮｏ）、ディスク種類判別部５０５は再生切替部５０７にＯＤＤ１１２にＨＤ ＤＶＤが装填されたことを通知し、再生切替部５０７はＨＤ ＤＶＤ再生部５０１にコンテンツの再生を指示する（ステップＳ２１）。
【００６２】
ツインフォーマットディスクであると判別した場合（ステップＳ１５のＹｅｓ）、ディスク種類判別部５０５は選択ボタン表示部５０４に選択ダイアログを表示するように指令する。選択ボタン表示部５０４は図１６に示すようなＨＤ ＤＶＤ層選択ボタン４１６およびＤＶＤ層選択ボタン４１７をＬＣＤに表示する（ステップＳ１６）。この時、ＨＤ ＤＶＤ層選択ボタン４１６およびＤＶＤ層選択ボタン４１７が操作できなるように視覚的に示す。
【００６３】
ユーザがＨＤ ＤＶＤ層選択ボタンまたはＤＶＤ層選択ボタンの何れか一方を操作すると、ＯＳは起動プログラムに操作されたボタンの種類を通知する（ＩＡ１）。
【００６４】
操作ボタン判別部５０６は、操作されたボタンがＨＤ ＤＶＤ層選択ボタン４１６であるか否かを判別する（ステップＳ１７）。ＨＤ ＤＶＤ層選択ボタン４１６が操作されたと判別した場合（ステップＳ１７のＹｅｓ）、操作ボタン判別部５０６は選択ボタン表示部５０４および再生切替部５０７にＨＤ ＤＶＤ層が選択されたことを通知する（ステップＳ１８）。選択ボタン表示部５０４は、図１７に示すようにＨＤ ＤＶＤ層選択ボタン４１６が押された状態に見えるように表示すると共に、ＨＤ ＤＶＤの文字を光らせる（ステップＳ１９）。
【００６５】
初期の段階ではドライブはＨＤ ＤＶＤ層にアクセスしている。再生切替部５０７はディスクに格納されているデータの再生をドライブに指示すると共に、ＨＤ ＤＶＤ再生部５０１にコンテンツの再生を指示する（ステップＳ２１）。
【００６６】
ＨＤ ＤＶＤ層選択ボタンが操作されていない（ＤＶＤ層選択ボタンが操作された）と判別した場合（ステップＳ１７のＮｏ）、操作ボタン判別部５０６は選択ボタン表示部５０４および再生切替部５０７にＤＶＤ層が選択されたことを通知する（ステップＳ２２）。選択ボタン表示部５０４は図１８に示すようにＤＶＤ層選択ボタン４１７が押された状態に見えるように表示すると共に、ＤＶＤの文字を光らせる（ステップＳ２３）。
【００６７】
初期の段階ではドライブはＨＤ ＤＶＤ層にアクセスしている。よって、再生切替部５０７は、ＯＤＤ１１２にアクセスする層をＨＤ ＤＶＤからＤＶＤに変更するように指示する（ステップＳ２４）。ＯＤＤ１１２は、アクセス層をＨＤ ＤＶＤからＤＶＤに変更する処理を行う。ＯＤＤ１１２は、切り替え処理が終了するとＯＳにツインディスクのＤＶＤ層にアクセスしていることを通知する。
【００６８】
プレイヤソフト５００がＤＶＤ層が装填されていることを認識すると、再生切替部５０７はＤＶＤ再生部５０２にコンテンツの再生を指示する（ステップＳ２６）。
【００６９】
以上の処理で、ドライブにツインフォーマットディスクが装填された場合に、ユーザがどちらの層にアクセスするかを選択することができる。
【００７０】
以上説明した処理によって、ＯＤＤ１１２にツインフォーマットディスクが装填された場合に、アクセスする層をユーザが選択することができる。また、ユーザが操作したボタンが押された状態に見えるように表示すると共に、文字を光らせることによって、ユーザが選択した層並びにＯＤＤ１１２がアクセスしている層を識別することが可能になる。
【００７１】
なお、ツインフォーマットディスクが挿入されている場合には、ＨＤ ＤＶＤ層選択ボタン４１６およびＤＶＤ層選択ボタン４１７の一方をユーザが操作することによって、再生層を切り替えることができる。
【００７２】
以下に、ツインフォーマットディスクの再生を切り替えるときの処理の手順について図１９を参照して説明する。なお、以下でＨＤ ＤＶＤ層選択ボタン４１６またはＤＶＤ層選択ボタン４１７の操作とは、ユーザがボタン４１６，４１７上にカーソルが置かれた状態でタッチパッドコントロールボタン１６を操作することである。なお、視覚的にボタンが凹んでいて操作できないようであっても、オペレーティングシステム５１０はプレイヤソフト５００にボタンが操作されたことを通知する。
【００７３】
ユーザがＨＤ ＤＶＤ層選択ボタン４１６およびＤＶＤ層選択ボタン４１７の一方を操作すると、オペレーティングシステム５１０がプレイヤソフト５００に対してボタンが操作されたことを割り込み通知する（ＩＡ２）。
【００７４】
操作ボタン判別部５０６は、操作されたボタンがＨＤ ＤＶＤ層選択ボタン４１６であるか否かを判別する(ステップＳ３１)。操作されたボタンがＨＤ ＤＶＤ層選択ボタン４１６であると判別した場合(ステップＳ３１のＹｅｓ）、操作ボタン判別部５０６はアクセスしている層がＤＶＤ層であるか否かを判別する（ステップＳ３２）。ＤＶＤ層にアクセスしていないと判別した場合（ステップＳ３２のＮｏ）、操作ボタン判別部５０６は何も処理を行わない。ＤＶＤ層にアクセスしていると判別した場合（ステップＳ３２のＹｅｓ）、操作ボタン判別部５０６は選択ボタン表示部５０４および再生切替部５０７にＨＤ ＤＶＤ層が選択されたことを通知する（ステップＳ３３）。選択ボタン表示部５０４は、図１７に示すように、ＨＤ ＤＶＤ層選択ボタン４１６が押された状態に見えるように表示すると共に、ＨＤ ＤＶＤの文字を光らせる（ステップＳ３４）。
【００７５】
現在、ＤＶＤ層にアクセスしている。再生切替部５０７は、ＯＤＤ１１２にアクセスする層をＤＶＤ層からＨＤ ＤＶＤ層に変更するように指示する（ステップＳ３５）。ＯＤＤ１１２は、アクセス層をＤＶＤ層からＨＤ ＤＶＤ層に変更する処理を行う。ＯＤＤ１１２は、切り替え処理が終了するとオペレーティングシステム５１０にツインディスクのＨＤ ＤＶＤ層にアクセスしていることを通知する。
【００７６】
プレイヤソフト５００は、ＯＤＤ１１２がＨＤ ＤＶＤ層にアクセスしていることを認識すると、再生切替部５０７はＨＤ ＤＶＤ再生部５０１にコンテンツの再生を指示する（ステップＳ３６）。
【００７７】
ステップＳ４１で操作されたボタンがＨＤ ＤＶＤ層選択ボタン４１６ではないと判別した場合(ステップＳ４１のＮｏ）、操作ボタン判別部５０６はアクセスしている層がＨＤ ＤＶＤ層であるか否かを判別する（ステップＳ４２）。ＨＤ ＤＶＤ層にアクセスしていないと判別した場合（ステップＳ４２のＮｏ）、操作ボタン判別部５０６は何も処理を行わない。ＨＤ ＤＶＤ層にアクセスしていると判別した場合（ステップＳ４２のＹｅｓ）、操作ボタン判別部５０６は選択ボタン表示部５０４および再生切替部５０７にＤＶＤ層が選択されたことを通知する（ステップＳ４３）。選択ボタン表示部５０４は図１８に示すように、ＤＶＤ層選択ボタン４１７中のＤＶＤの文字をＤＶＤ層選択ボタン４１７が押された状態に見えるように表示すると共に、ＤＶＤの文字を光らせる（ステップＳ４４）。
【００７８】
現在、ＨＤ ＤＶＤ層にアクセスしている。再生切替部５０７は、ＯＤＤ１１２にアクセスする層をＨＤ ＤＶＤ層からＤＶＤ層に変更するように指示する（ステップＳ４５）。ＯＤＤ１１２は、アクセス層をＨＤＤＶＤ層からＤＶＤ層に変更する処理を行う。ＯＤＤ１１２は、切り替え処理が終了するとオペレーティングシステム５１０にツインディスクのＤＶＤ層にアクセスしていることを通知する。
【００７９】
プレイヤソフト５００は、ＯＤＤ１１２がＤＶＤ層にアクセスしていることを認識すると、再生切替部５０７はＤＶＤ再生部５０２にコンテンツの再生を指示する（ステップＳ４６）。
【００８０】
以上説明した処理によって、ＯＤＤ１１２にツインフォーマットディスクが装填され、アクセスする層を選択した後であっても、アクセスする層を変更することができる。また、また、ユーザが操作したボタンが押された状態に見えるように表示すると共に、文字を光らせることによって、ユーザが選択した層並びにＯＤＤ１１２がアクセスしている層を識別することが可能になる。
【００８１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８２】
【図１】本発明の一実施形態に係わる情報処理装置としてのパーソナルコンピュータを示す斜視図。
【図２】図１に示すパーソナルコンピュータの構成を示すブロック図。
【図３】片面１層ＤＶＤディスクの基本構造と光ヘッドの関係を示す図である。
【図４】片面１層ＤＶＤディスクの記録エリア構成を示す図である。
【図５】片面１層ＤＶＤディスクの基本構造と光ヘッドの関係を示す図である。
【図６】片面１層ＨＤ ＤＶＤディスクの記録エリア構成を示す図である。
【図７】ツインフォーマットディスクの基本構造例と光ヘッドの関係を示す図である。
【図８】ツインフォーマットディスクの記録エリア構成例を示す図である。
【図９】本発明の一実施形態に係わる光ディスク装置の構成を示すブロック図。
【図１０】光ディスク装置に装填されたディスクに記録されているコンテンツを再生するプレイヤソフトがＬＣＤに表示するウィンドウを示す図。
【図１１】ＬＣＤに表示されるコントロールウィンドウを示す図。
【図１２】本発明の一実施形態に係わるプレイヤソフトの構成を示すブロック図。
【図１３】プレイヤソフトによる再生処理の手順を示す図。
【図１４】光ディスク装置によるディスク種類の判別処理の手順を示す図。
【図１５】ＨＤ ＤＶＤ層選択ボタンおよびＤＶＤ層選択ボタンの状態を示す図。
【図１６】ＨＤ ＤＶＤ層選択ボタンおよびＤＶＤ層選択ボタンの状態を示す図。
【図１７】ＨＤ ＤＶＤ層選択ボタンおよびＤＶＤ層選択ボタンの状態を示す図。
【図１８】ＨＤ ＤＶＤ層選択ボタンおよびＤＶＤ層選択ボタンの状態を示す図。
【図１９】プレイヤソフトによる再生処理の手順を示す図。
【符号の説明】
【００８３】
１１２…ＨＤ ＤＶＤ／ＤＶＤコンパチブルドライブ，４１６…ＤＶＤ層選択ボタン，４１７…ＤＶＤ層選択ボタン，５００…プレイヤソフト，５０１…ＨＤ ＤＶＤ再生部，５０２…ＤＶＤ再生部，５０３…コントロールウィンドウ表示部，５０４…選択ボタン表示部，５０５．ＨＤ…ディスク種類判別部，５０５…ディスク種類判別部，５０６…操作ボタン判別部，５０６…操作ボタン判別，５０７…再生切替部，５１０…オペレーティングシステム
【図１】
2008041200.tif 000003
【図２】
2008041200.tif 000004
【図３】
2008041200.tif 000005
【図４】
2008041200.tif 000006
【図５】
2008041200.tif 000007
【図６】
2008041200.tif 000008
【図７】
2008041200.tif 000009
【図８】
2008041200.tif 000010
【図９】
2008041200.tif 000011
【図１０】
2008041200.tif 000012
【図１１】
2008041200.tif 000013
【図１２】
2008041200.tif 000014
【図１３】
2008041200.tif 000015
【図１４】
2008041200.tif 000016
【図１５】
2008041200.tif 000017
【図１６】
2008041200.tif 000018
【図１７】
2008041200.tif 000019
【図１８】
2008041200.tif 000020
【図１９】
2008041200.tif 000021